(57)【要約】【課題】棟内伝送路上のいずれかの位置において問題が生じた場合、その問題の場所を直ちに特定し、迅速に対処することができる、双方向ＣＡＴＶの棟内伝送路の監視システムを提供する。【解決手段】双方向ＣＡＴＶの棟内伝送路上に配置された複数の棟内用増幅器３に近接してステータスモニタ５をそれぞれ配置する。このステータスモニタ５は、棟内用増幅器３の入出力レベルを測定するとともに、レベル信号を上り側へ出力するように構成されている。【選択図】  図１
2004247876.tif 000002
【特許請求の範囲】
【請求項１】
棟内伝送路上に配置された複数の棟内用増幅器の内部、又は、それらに近接してステータスモニタをそれぞれ配置してなる監視システムであって、
前記ステータスモニタは、棟内用増幅器の入出力レベルを測定するとともに、レベル信号を上り側へ出力するように構成されていることを特徴とする、棟内伝送路監視システム。
【請求項２】
前記ステータスモニタは、必要に応じて下り信号及び／又は上り信号の送信を停止することができるように構成されていることを特徴とする、請求項１に記載の棟内伝送路監視システム。
【請求項３】
前記ステータスモニタは、遠隔操作によって、棟内用増幅器の入出力レベルを測定してレベル信号を出力し、及び／又は、信号送信の停止を行うように構成されていることを特徴とする、請求項１又は請求項２に記載の棟内伝送路監視システム。
【請求項４】
棟内伝送路上に配置され、遠隔操作によって、棟内用増幅器の入出力レベルを測定してレベル信号を出力し、及び／又は、信号送信の停止を行うように構成されていることを特徴とする、棟内伝送路監視システム用ステータスモニタ。
【発明の詳細な説明】
【０００１】
【発明の属する技術分野】
本発明は、ビルや集合住宅等の建物内に配設された双方向ＣＡＴＶの伝送路を監視するシステムに関し、特に、伝送路上に設置された各棟内用増幅器の内部に、又は、それらに近接してステータスモニタを配置し、棟内伝送路を監視するシステムに関する。
【０００２】
【従来の技術】
双方向ＣＡＴＶ放送の加入者端末が、ビルや集合住宅等の建物内に設置されている場合、ＣＡＴＶ放送やインターネット接続等のサービスは、ＣＡＴＶ放送局から当該建物まで敷設された伝送路（幹線、引込線等）、及び、当該建物内部に配設された伝送路（棟内伝送路）を介して行われる。
【０００３】
棟内伝送路は、配設される建物の規模（居住者数、テナント数）に比例して大きくなる。具体的には、伝送路上に多数の分岐点が形成され、数段階に枝分かれした複雑なものとなり、また、伝送路の総延長が長くなるため、多数の増幅器（棟内増幅器）が伝送路上に配置されることになる。
【０００４】
【発明が解決しようとする課題】
このような大規模な棟内伝送路において、棟内増幅器の一つが故障したような場合をはじめ、伝送路上のいずれかの位置において伝送障害が生じた場合、直ちに問題箇所を特定し、迅速に対処する必要がある。特に、双方向ＣＡＴＶの伝送路は、放送局から加入者端末側へ送信される下り信号だけでなく、加入者端末から放送局側へ送信される上り信号も伝送されるため、故障箇所とは直接には関係がない他の多くの加入者へ、多大な悪影響を及ぼしかねない。
【０００５】
本発明は、このような問題点を解決すべくなされたものであって、棟内伝送路上のいずれかの位置において問題が生じた場合、その問題の場所を直ちに特定し、迅速に対処することができる棟内伝送路の監視システムを提供することを目的とする。
【０００６】
【課題を解決するための手段】
本発明の棟内伝送路監視システムは、棟内伝送路上に配置された複数の棟内用増幅器の内部、又は、それらに近接してステータスモニタをそれぞれ配置してなるものであって、ステータスモニタは、棟内用増幅器の入出力レベルを測定するとともに、レベル信号を上り側へ出力するように構成されていることを特徴としている。
【０００７】
尚、ステータスモニタは、必要に応じて下り信号及び／又は上り信号の送信を停止することができるように構成されており、それらを遠隔操作によって行うことができるように構成されていることが好ましい。
【０００８】
また、本発明に係る棟内伝送路監視システム用ステータスモニタは、棟内伝送路上に配置され、遠隔操作によって、棟内用増幅器の入出力レベルを測定してレベル信号を出力し、及び／又は、信号送信の停止を行うように構成されていることを特徴としている。
【０００９】
【発明の実施の形態】
以下、図面に沿って本発明の好適な実施形態について説明する。図１は、本発明に係る監視システムが導入された棟内伝送路１の系統図である。この図において２は分配器、３は棟内用双方向増幅器、４は加入者端末用の壁面端子である。
【００１０】
図示されているように、非常に多くの加入者端末へ信号を配信しようとする場合、棟内伝送路上には多数の分配器２が配置され、棟内伝送路は、数段階に枝分かれした複雑なものとなる。また、伝送路の総延長が長くなるため、多数の増幅器３が配置されることになる。
【００１１】
そして、本実施形態においては、伝送路上のすべての増幅器３の近傍（上り側）に、ステータスモニタ５がそれぞれ配置されている。これらのステータスモニタ５は、送信中の下り信号及び上り信号のレベルを示す信号（レベル信号）を、伝送路の上り側に設置した管理センター（図示せず）からの要求に応じて（或いは、常時）、上り側へ送信するようになっている。
【００１２】
つまり、管理センターは、網羅的に配置された各ステータスモニタ５からそれぞれ送られてくるレベル信号をチェックすることによって、伝送路上のすべての増幅器３における下り信号及び上り信号のレベルを把握することができる。
【００１３】
従って、伝送路上のいずれかの増幅器３において不具合が生じたような場合、ステータスモニタ５からのレベル信号を順番にチェックしていくことによって、その不具合が生じた増幅器３の位置を直ちに特定することができ、修理、交換等の処置を、極めて迅速に行うことができる。
【００１４】
また、ステータスモニタ５には、管理センターからの遠隔操作によって、上り信号、及び／又は、下り信号の送信を停止（及び、再開）する機能が備えられている。
【００１５】
従って、例えば、図１において最も下側に位置する増幅器３ａの上り信号系において不具合が生じた場合には、その不具合が是正されるまでの間、他の加入者へ（不具合が生じた増幅器３ａの下り側に位置する壁面端子４ａ〜４ｃの利用者だけでなく、図１において最も上側に位置する壁面端子４ｄの利用者などのように、増幅器３ａとは系統的に無関係の利用者へも）多大な悪影響を及ぼしかねないが、不具合が発見され次第、上り信号系に問題があると特定された増幅器３ａ近傍のステータスモニタ５ａを遠隔的に操作することによって、上り信号の送信を停止できるので、故障した増幅器３ａとは無関係の加入者へ及ぼしうる悪影響を、最小限に止めることができる。
【００１６】
尚、管理センターは、すべての増幅器３よりも上り側に位置している限り、どのような場所に設置しても良い。例えば、この伝送路が配設される建物の管理人室内でも、建物の屋上等に設置された専用の部屋でもよい。また、必ずしもこの伝送路が配設される建物の内部には限られず、複数の建物内に配設された複数の棟内伝送路を統括して管理する別棟の建物内部に設置されていても良いし、ＣＡＴＶ放送局内に設置することもできる。
【００１７】
図２は、本実施形態におけるステータスモニタ５と増幅器３との接続構成例の説明図である。図示されているように、下り信号（実線矢印）は、まず、入出力端子６ａに接続されたケーブル７ａからステータスモニタ５に入力され、端子６ｃからケーブル７ｂへ出力される。
【００１８】
そして、端子６ｄから増幅器３に入力され、増幅された後、分岐され、端子６ｆ，６ｇからケーブル７ｄ，７ｃへ出力される。これらのうち、ケーブル７ｃへ出力された下り信号は、そのまま下り側へ伝送され、ケーブル７ｄに出力された下り信号は、端子６ｂから再びステータスモニタ５に入力される。尚、ステータスモニタ５は、端子６ａから入力された下り信号（増幅器３によって増幅される前の信号）、及び、端子６ｄから入力された下り信号（増幅後の下り信号）のレベルをチェックするようになっている。
【００１９】
一方、上り信号は、端子６ｇに接続されたケーブル７ｃから増幅器３に入力され、増幅器３によって増幅された後、端子６ｄから出力される。
【００２０】
端子６ｄからケーブル７ｂへ出力された増幅信号は、端子６ｃからステータスモニタ５に入力される。ステータスモニタ５は、この端子６ｃから入力された上り増幅信号のレベルをチェックするようになっている。
【００２１】
このように、図２に示すような接続構成とした場合、下り信号については増幅器３による増幅前後の信号を、また、上り信号については増幅後の信号を、ステータスモニタ５の監視対象とすることができる。また、この構成例の場合、上り信号の送信を遠隔操作によって停止させた場合でも、上り信号へのノイズの混入を回避することができる。また、増幅器３のレベルシフト方式に影響されず、どのような方式の増幅器３とでも組み合わせて使用することができる。更に、上りＤ／Ｕ比に影響しない、という効果を期待することができる。
【００２２】
図３は、ステータスモニタ５の他の接続構成例を示す図である。この構成例では、下り信号は、端子６ｄから増幅器３に入力され、増幅された後、端子６ｇから出力され、ステータスモニタ５によって信号レベルがチェックされた後、下り側へ伝送される。一方、上り信号は、端子６ｃから入力され、信号レベルがチェックされた後、端子６ａ、ケーブル７ｂ，端子６ｇを介して増幅器３へ送られ、増幅器３による増幅後に端子６ｄから出力され、上り側へ伝送される。
【００２３】
この構成例では、下り信号については増幅後の信号のみ、上り信号については増幅前の信号のみが、ステータスモニタ５による監視対象となる。
【００２４】
図４は、ステータスモニタ５の他の接続構成例を示す図である。この構成例では、下り信号は、ケーブル７ａから、端子６ａ、ステータスモニタ５、端子６ｂ、ケーブル７ｂ、端子６ｃを介して増幅器３へ入力され、増幅後、端子６ｄ、ケーブル７ｃ、端子６ｅ、ステータスモニタ５、端子６ｆ、ケーブル７ｄを介して下り側へ伝送される。一方、上り信号は、これとは全く逆の経路で上り側へ伝送される。
【００２５】
この構成例による場合、下り信号及び上り信号のいずれにおいても、増幅器３による増幅前後の信号をステータスモニタ５の監視対象とすることができる。また、上り信号の送信を遠隔操作によって停止させた場合、上り信号へのノイズの混入を回避することができる。
【００２６】
尚、図２〜図４に示した構成例においては、ステータスモニタ５は、増幅器３から独立した、いわゆる「外付け」の装置として構成されているが、増幅器３内に配置して、「内蔵型」として構成することもできる。
【００２７】
【発明の効果】
以上に説明したように、本発明に係る双方向ＣＡＴＶの棟内伝送路監視システムは、棟内伝送路上に配置された増幅器の入出力レベルをチェックして、レベル信号を上り側に送出するように構成されているので、伝送路上のすべての増幅器の状態を、管理センターにおいて監視することができ、その結果、棟内伝送路上のいずれかの位置において問題が生じた場合、その問題の場所を直ちに特定し、迅速に対処することができる。
【００２８】
また、遠隔操作により、ステータスモニタにおいて信号の伝送を停止できるので、伝送障害が生じた場合に、他の加入者へ及ぼしうる悪影響を最小限に抑えることができる。
【図面の簡単な説明】
【図１】本発明に係る監視システムが導入された棟内伝送路１の系統図。
【図２】図１に示したステータスモニタ５と増幅器３との接続構成例の説明図。
【図３】図１に示したステータスモニタ５の他の接続構成例を示す図。
【図４】図１に示したステータスモニタ５の他の接続構成例を示す図。
【符号の説明】
１：棟内伝送路、
２：分配器、
３，３ａ：双方向増幅器、
４，４ａ〜４ｄ：壁面端子、
５，５ａ：ステータスモニタ、
６ａ〜６ｇ：入出力端子、
７ａ〜７ｄ：ケーブル
【図１】
2004247876.tif 000003
【図２】
2004247876.tif 000004
【図３】
2004247876.tif 000005
【図４】
2004247876.tif 000006